(57)【要約】【課題】出射面からの出射光の照度を従来より高めることができる導光板及びバックライトを提供する。【解決手段】光源からの光が入射する入射面１０３と、入射面１０３に対して垂直に設けられた出射面１０１と、出射面１０１に対向する裏面１０２と、を有する導光板本体１０と、裏面１０２上に設けられその表面が気体と接する透明膜１１と、を備える。導光板本体１０の裏面１０２には、入射面１０３の法線方向に対して交差する方向に伸びかつ断面が円弧形状とされた突条１０２ａ又は溝が複数形成され、透明膜１１の屈折率が導光板本体１０よりも高い導光板である。【選択図】図１
2007305428.tif 000002
【特許請求の範囲】
【請求項１】
光源からの光が入射する入射面と、前記入射面の側面に設けられた出射面と、前記出射面に対向する裏面と、を有する導光板本体と、
前記裏面上に設けられその表面が気体と接する透明膜と、を備え、
前記導光板本体の裏面には、前記入射面の法線方向に対して交差する方向に伸びかつ断面が円弧形状とされた突条又は溝が複数形成され、
前記透明膜の屈折率が前記導光板本体よりも高い導光板。
【請求項２】
前記導光板本体の屈折率は１．４〜１．７であり、前記透明膜の屈折率は１．８〜３．０である請求項１に記載の導光板。
【請求項３】
前記各円弧の中心角を２αとした時にαが５〜９０°である請求項１から又は２に記載の導光板。
【請求項４】
前記各円弧の中心角を２αとした時にαが１５〜６５°である請求項１又は２に記載の導光板。
【請求項５】
前記各円弧の中心角を２αとした時にαが２５〜４５°である請求項１又は２に記載の導光板。
【請求項６】
前記透明膜は酸化チタン膜である請求項１〜５のいずれかに記載の導光板。
【請求項７】
光源からの光が入射する入射面と、前記入射面の側面に設けられた出射面と、前記出射面と対向すると共に気体と接する裏面と、を備え、
屈折率が１．４〜１．７であり、
前記裏面には、前記入射面の法線方向に対して交差する方向に伸びかつ断面が円弧形状とされた突条又は溝が複数形成され、
前記各円弧の中心角を２αとした時にαが２〜６５°である導光板。
【請求項８】
前記屈折率が１．４５〜１．５５であり、前記αが３〜５５°である請求項７に記載の導光板。
【請求項９】
前記屈折率が１．４５〜１．５５であり、前記αが４〜１０°である請求項７に記載の導光板。
【請求項１０】
前記屈折率が１．５５〜１．６５であり、前記αが５〜６５°である請求項７に記載の導光板。
【請求項１１】
前記複数の突条又は溝の間隔をＬとし、前記突条又は溝の円弧の半径をｒとした時に、０≦Ｌ≦２ｍｍ、かつ、０．１ｍｍ≦ｒ≦１ｍｍ、かつ、０≦Ｌ／ｒ≦３を満たす請求項１〜１０のいずれかに記載の導光板。
【請求項１２】
前記複数の突条又は溝の間隔をＬとし前記突条又は溝の円弧の半径をｒとし、前記入射面に近い側におけるＬ／ｒの値をＣ１とし、前記入射面から遠い側におけるＬ／ｒの値をＣ２とした時に、Ｃ１＞Ｃ２である請求項１〜１１のいずれかに記載の導光板。
【請求項１３】
請求項１〜１２のいずれかに記載の導光板を備えたバックライト。
【発明の詳細な説明】
【技術分野】
【０００１】
本発明は導光板及びバックライトに関する。さらに詳しくは、液晶パネル等の表示素子を背面から照射するバックライト及びこれに用いられる導光板に関する。
【背景技術】
【０００２】
近年、ブック型のワードプロセッサやコンピュータ、携帯電話機、携帯ゲーム機、携帯ミュージックプレイヤー及び携帯ＴＶのような小型、薄型の機器の表示装置として、バックライトを有し薄型でしかも見易い液晶表示装置が用いられている。このような液晶表示装置のバックライトとしては、液晶パネルを背面から照射する面光源が用いられており、この面光源としては蛍光ランプ又はＬＥＤ（発光ダイオード、有機ＥＬ素子等）よりなる光源と、光源からの光を側面から入射し、面状の光束に変換し出射面から出射する導光板と、を備えるサイドライト型面光源が一般的である。
【０００３】
そして、効率よく出射面から光を出射させるためには出射面と反対の裏面に凹凸を形成することが知られており、例えば、特許文献１には、断面が半円となる突条又は溝が裏面に形成された導光板が知られている。（例えば、特許文献１参照）。
【特許文献１】特開２００３−２７９７５３号公報
【発明の開示】
【発明が解決しようとする課題】
【０００４】
しかしながら、上述のような従来の導光板では、光源からの光を入射させた時に、裏面で反射されずに裏面から出射してしまう光が多いためか、出射面から出射される光量が十分でなく表示画面の品位が低下するという場合があった。
【０００５】
本発明では、上記課題に鑑みてなされたものであり、出射光の照度を十分に強くできる導光板及びこれを備えたバックライトを提供することを目的とする。
【課題を解決するための手段】
【０００６】
本発明者らは鋭意検討したところ、断面円弧形状の突条又は溝が形成された導光板本体の裏面に導光板本体よりも屈折率の高い透明膜を形成することや、導光板の裏面に形成する断面円弧形状の突条また溝の中心角を所定の値とすることにより、出射光の照度を従来に比して高めることができることを見出し、本発明に想到するに至った。
【０００７】
本発明に係る導光板は、光源からの光が入射する入射面と、入射面に対して垂直に設けられた出射面と、出射面に対向する裏面と、を有する導光板本体と、裏面上に設けられ表面が気体と接する透明膜と、を備える。そして、導光板本体の裏面には、入射面の法線方向に対して交差する方向に伸びかつ断面が円弧形状とされた突条又は溝が複数形成され、透明膜の屈折率が導光板本体よりも高くされている。
【０００８】
このような導光板によれば、半円形状の突条や溝を備え且つ表面に透明膜が形成されていない従来の導光板に比して、出射光の光の照度が十分に高められる。
【０００９】
この理由としては、断面円弧形状の複数の突条又は溝が形成された導光板本体の裏面に導光板本体よりも屈折率の高い透明膜を形成すると、透明膜と空気等の気体との屈折率差が大きくなり、透明膜と気体との界面での臨界角θｃの範囲が広くなり、導光板の裏面においてより多くの光を反射させることが可能となり、出射面から出射される光の照度（以下、放射照度と呼ぶことがある。）を向上させることができるものと考えられる。
【００１０】
ここで、導光板本体の屈折率は１．４〜１．７より好ましくは、１．４５〜１．５５であり、透明膜の屈折率は１．８〜３．０であることが好ましい。
【００１１】
また、十分に出射光の照度を高めるためには、突条又は溝の各円弧の中心角を２αとした時にαが５〜９０°であることが好ましく、αが１５〜６５°であることがより好ましく、αが２５〜４５°であることがさらに好ましい。
【００１２】
また、透明膜は酸化チタン膜であることが好ましい。
【００１３】
本発明に係る第２の導光板は、光源からの光が入射される入射面と、入射面に対して垂直に設けられた出射面と、出射面と対向すると共に気体と接する裏面と、を備え、屈折率が１．４〜１．７である。そして、導光板の裏面には、入射面の法線方向に対して交差する方向に伸びかつ断面が円弧形状とされた突条又は溝が複数形成され、各円弧の中心角を２αとした時にαが２〜６５°である。
【００１４】
このような導光板でも、従来の如き半円形状、すなわち、α＝９０°の突条や溝等を備える導光板に比して、照度を高めることができる。
【００１５】
ここで、第２の導光板において、より一層出射光の照度を高めるためには、屈折率が１．４５〜１．５５、かつ、αが３〜５５°であることが好ましく、αが４〜１０°であることがより好ましい。また、屈折率が１．５５〜１．６５、かつ、αが５〜６０であることが好ましい。
【００１６】
また、上述の第１及び第二の導光板において、複数の突条又は溝の間隔をＬとし、突条又は溝の円弧の半径をｒとした時に、０≦Ｌ≦２ｍｍ、かつ、０．１ｍｍ≦ｒ≦１ｍｍ、かつ、０≦Ｌ／ｒ≦３を満たすことが好ましい。
【００１７】
また、上述の第１及び第二の導光板において、複数の突条又は溝の間隔をＬとし突条又は溝の円弧の半径をｒとし、入射面に近い側におけるＬ／ｒの値をＣ１とし、入射面から遠い側におけるＬ／ｒの値をＣ２とした時に、Ｃ１＞Ｃ２であることも好ましい。
【００１８】
本発明にかかるバックライトは、上述のいずれかの導光板を備えたバックライトである。このバックライトは、導光板以外に例えば光源等を備えることができる。
【発明の効果】
【００１９】
本発明の導光板によれば、出射面から出射する出射光の照度を従来より高めることができる。したがって、液晶表示装置の液晶パネル等の表示素子を背面から照射するバックライトに本発明の導光板を用いることにより高品位の表示画面を提供できる。
【発明を実施するための最良の形態】
【００２０】
以下、本発明の実施形態について図面を参照して説明する。図中、同一の要素には同一の符号を付した。
【００２１】
（第１実施形態）
まず、本実施の第１実施形態として、図１に示すようなサイドライト型面状光源としてのバックライトＢ１を備える液晶表示装置Ｄについて説明する。液晶表示装置Ｄは、バックライトＢ１と液晶表示素子６０とを備えている。
【００２２】
液晶表示素子６０は、液晶セル２、及び偏光板３、４によって構成されている。液晶セル２の上下両側にそれぞれ偏光板３、４が配置されている。液晶セル２としては、例えば、ＴＦＴ型、ＳＴＮ型等の公知の液晶表示素子を用いることができる。
【００２３】
バックライトＢ１は、導光板７０、反射部１４、及び、光源部１６０を備えている。液晶表示素子６０の下側の偏光板４の下面側に導光板７０が設けられている。導光板７０は、主として、導光板本体１０、及び、透明膜１１を備えている。
【００２４】
導光板本体１０は、その上面が出射面１０１とされた略直方体形状の板状体であり、偏光板４の下に配置されている。この導光板本体１０は、出射面１０１の側面（例えば、出射面に対して８０〜１００°をなすように形成された側面）に設けられた入射面１０３と、出射面１０１と対向する裏面１０２と、入射面１０３と対向する側面１０４と、を備えている。
【００２５】
導光板本体１０の屈折率は、例えば、１．４〜１．７程度である。このような屈折率を有する導光板本体の材料としては、例えば、アクリル、ポリスチレン、ポリカーボネート系等の無色透明の樹脂を例示できる。例えば、アクリルの一種であるＰＭＭＡの屈折率は１．４９である。
【００２６】
導光板本体１０の厚みは、例えば、１．０〜１０．０ｍｍ程度である。
【００２７】
導光板本体１０の裏面１０２には、断面が円弧となる突条１０２ａが複数並んで設けられている。
【００２８】
図２は導光板７０の拡大断面図である。ここで、導光板本体１０の裏面１０２に形成された各突条１０２ａの円弧において、中心角を２αとし、半径をｒとする。また、各突条１０２ａ間の間隔をＬとする。ここで、間隔Ｌとは、図２に示すように、互いに隣接する一対の突条１０２ａにおいて、一方の突条１０２ａにおける他方の突条１０２ａに近い側の円弧の開始点と、他方の突条１０２ａにおける前記一方の突条１０２ａに近い側の円弧の開始点と、の間の距離のことである。なお、突条でなく溝の場合にも距離Ｌは同様に定義できる。
【００２９】
そして、本実施形態では、各突条１０２ａの中心角２αは特に限定されないが、出射光の照度が十分なものとなるようにすべく、α＝５〜９０°とすることが好ましく、α＝１５〜６５°とすることがより好ましく、α＝２５〜４５°とすることが一層好ましい。
【００３０】
また、Ｌやｒの値は特に限定されず、例えば、０≦Ｌ／ｒ≦３とすることができるが、出射光の照度を十分高めるためにはＬ／ｒ＝０であることが好ましい。また、ｒの具体例としては０．１ｍｍ≦ｒ≦１．０ｍｍ、Ｌの具体例としては、０≦Ｌ≦２．０ｍｍとすることができる。
【００３１】
なお、各突条１０２ａの各円弧における半径ｒ及びαは互いに同一であってもよく、互いに異なっていてもよい。また、Ｌの値も、図１の左右方向においてすべて同一であっても良いが、互いに異なる値とすることができる。
【００３２】
また、出射面１０１における入射面１０３に近い側（図１の左側）と、出射面１０１における入射面１０３から遠い側（図１の右側）との間で放射照度が偏ることを抑制すべく、裏面１０２において入射面１０３から離れるほど（図１の右側に向かうほど）Ｌ／ｒが小さくなるように突条１０２ａを配置することも好ましい。言い換えると、複数の突条又は溝の間隔をＬとし突条又は溝の円弧の半径をｒとし、入射面に近い側におけるＬ／ｒの値をＣ１とし、入射面から遠い側におけるＬ／ｒの値をＣ２とした時に、Ｃ１＞Ｃ２であることが好ましい。（たとえば、後述の図１０を参照）。
【００３３】
これらの突条１０２ａの長さ方向の形態は特に限定されず入射面１０３の法線方向と交差する方向に伸びていればよい。例えば、後述する光源６が入射面１０３に沿う線状の光源（例えば、冷陰極管等）であれば、これに対応して、各突条１０２ａを、光源６と平行に配置された直線状とし、互いに略平行に並べることが好ましい。また、光源６が点光源（例えば、ＬＥＤ等）であれば、各突条１０２ａを、光源６を取囲むような弓状とし、互いに同心円状に並べて配置することが好ましい。
【００３４】
裏面１０２上には、屈折率が導光板本体１０よりも高い透明膜１１が、各突条１０２ａによって形成される外形形状に沿って形成されている。透明膜１１の屈折率は、１．８〜３．０程度、好ましくは２．０以上、より好ましくは２．２以上、さらに好ましくは２．５以上である。このような透明膜１１の材料としては、酸化チタン（屈折率２．６）、ＩＴＯ（屈折率２．０）等が例示できる。
【００３５】
透明膜１１の厚みとしては、導光板本体１０の裏面１０２から出射しようとする光に対して反射あるいは屈折現象を生じさせ得る光学的距離以上であれば良く、例えば、２μｍ〜０．１ｍｍ程度とすることができる。このような透明膜１１は、公知のスパッタリング法やゲル状の膜材料の塗布法等により容易に形成できる。
【００３６】
光源部１６０は、導光板本体１０の入射面１０３に対向するように配置されている。光源部１６０は、光源６、集光レンズ８、及び、反射板７を有している。導光板本体１０の入射面１０３に面して光源６が配置され、この光源６と導光板本体１０との間に集光レンズ８が配置され、光源６のさらに外側に反射板７が配置されている。光源部１６０からの光は入射面１０３から導光板本体１０内に入射する。
【００３７】
さらに、導光板本体１０の側面１０４、及び、導光板本体１０の裏面１０２に面して、導光板７０から出射された光を反射して導光板本体１０に再び入射させる反射部１４が配置されている。反射部１４としては、例えば、白色反射板等が用いられる。なお、導光板７０と反射部１４との間には空気の層が形成されるようになっており、透明膜１１の表面は空気等の気体と接触している。
【００３８】
このような導光板７０によれば、出射面１０１から出射される光の放射照度が従来に比べて十分に高くなる。
【００３９】
この理由としては、断面円弧形状の複数の突条１０２ａが形成された導光板本体１０の裏面１０２に導光板本体１０よりも屈折率の高い透明膜１１を形成すると、透明膜１１と空気等の気体との屈折率差が大きくなるので、透明膜１１と気体との界面での臨界角θｃの範囲が広くなり、導光板７０の裏面においてより多くの光を反射させることが可能となり、出射面１０１から出射される光の放射照度を向上させることができるものと考えられる。
【００４０】
（第２実施形態）
続いて、本発明の第２実施形態について図３を参照して説明する。本実施形態の液晶表示装置ＤのバックライトＢ２が、第１実施形態のバックライトＢ１と異なる点は、導光板本体１０の厚みが一定でなく、入射面１０３から離れるにしたがって導光板本体１０の厚みが薄くなるように、裏面１０２が出射面１０１に対して傾斜している点である。傾斜角度θは、例えば、１５°以下とすることが好ましい。
【００４１】
このようなバックライトＢ２においても、第１実施形態と同様に断面円弧形状の複数の突条１０２ａが形成された導光板本体１０の裏面１０２に対して透明膜１１が形成されているので、第１実施形態と同様の作用効果を奏する。
【００４２】
（第３実施形態）
続いて、本発明の第３実施形態について図４を参照して説明する。本実施形態のバックライトＢ３が、第１実施形態のバックライトＢ１と異なる点は、導光板本体１０の裏面１０２において、複数の突条１０２ａに代えて断面円弧の複数の溝１０２ｂが形成されている点である。
【００４３】
溝１０２ｂの円弧における中心角２α及び半径ｒは図４に示すように第１実施形態と同様に定義され、また、中心角２α、半径ｒ、溝１０２ｂの長さ方向の形態、間隔Ｌ等は第１実施形態と同様である
【００４４】
このようなバックライトＢ３においても、第１実施形態と同様の円弧形状を備える複数の溝１０２ｂが形成された導光板本体１０の裏面１０２に対して透明膜１１が形成されているので、第１実施形態と同様の作用効果を奏する。
【００４５】
（第４実施形態）
続いて、本発明の第４実施形態について図５を参照して説明する。本実施形態のバックライトＢ４が、第１実施形態のバックライトＢ１と異なる第１の点は、導光板本体１０の裏面１０２において透明膜１１が無く、導光板本体１０の裏面１０２が空気等の気体と接触している点である。本実施形態においては、導光板本体１０のみで導光板７０を構成している。
【００４６】
また、本実施形態のバックライトＢ４が、第１実施形態のバックライトＢ１と異なる第２の点は、各突条１０２ａの中心角を２αとしたときに、αが２〜６５°に設定されている点である。
【００４７】
導光板本体１０の好ましい屈折率は、１．４〜１．７程度である。特に、屈折率が１．４５〜１．５５であり、かつ、αが３〜５５°であることが好ましく、αが４〜１０°であることが一層好ましい。また、屈折率が１．５５〜１．６５であり、かつ、αが５〜６５°であることが好ましい。
【００４８】
このようなバックライトＢ３においては、所定の角度αを有する断面円弧の複数の溝１０２ｂが形成されているので、透明膜が無くても十分に出射光の放射照度を高めることができる。
【００４９】
（計算例）
（計算例１Ａ，１Ｂ）
図６の白丸（計算例１Ａ）、白四角（計算例１Ｂ）のデータは、実施例４すなわち図５に示したバックライトＢ４を用いて導光板７０の出射面１０１から出射する光の面内平均放射照度がどのようになるか、中心角２αを種々変えてコンピュータによりシミュレーション計算した結果を示すグラフである。
【００５０】
このコンピュータシミュレーションにおいて、入射面の各位置から図５の角度範囲φが、−４５°≦φ≦＋４５°となる光を入射させ、導光板７０内で反射して最終的に出射面１０１面から出射する光の照度を見積もった。導光板の厚み３ｍｍ、図５の水平方向の導光板の長さ５０ｍｍ、導光板の屈折率１．４９（白丸（計算例１Ａ））、１．６０（白四角（計算例１Ｂ））、円弧半径ｒ＝０．５ｍｍ、Ｌ＝０とした。
【００５１】
図６の白丸及び白四角からわかるように、透明膜１１が無い場合には、αが２〜６５°で平均放射照度が従来の半円形状の突条、すなわち、α＝９０°の場合に比べて十分によくなる（図６では例えば１．５×１０７Ｗ／ｍ２程度以上）。特に計算例Ａ１（白丸）の場合、αが３〜５５°であるとより好ましく（図６では例えば２．５×１０７Ｗ／ｍ２程度以上）、αが４〜１０°であると一層好ましい（図６では例えば３．０×１０７Ｗ／ｍ２程度以上）事がわかった。計算例Ａ２（白四角）の場合は、αが５〜６５°であると好ましい。
【００５２】
ここで、実施例４のような透明膜１１の無いバックライトＢ４では、導光板本体１０の屈折率が１．４〜１．７であれば、中心角２αが上述の角度に設定されている限り上述のような特性が発現する。
【００５３】
このような導光板では、導光板と外部との屈折率差により導光板から飛び出る光の臨界角条件が決定する。上記屈折率では、臨界角が４０°前後になる。また、出射面１０１から効率的に光を出射させるには、裏面１０２では臨界角条件のまま全反射させることが好ましい。実施例４等では、裏面１０２に断面略円弧の突条１０２ａを設けることで、突条１０２ａで反射した光の軌跡を変更することができ、表面１０１での臨界角条件を克服することができる。すなわち、上述の範囲αでは、裏面１０２での反射効果が大きいため、出射面１０１へ進む光の減少量が従来に比して少ないと考えている。また、裏面１０２が略円弧であるので、断面三角の突条や溝の場合と異なり、裏面１０２に進入する光線の位置に応じて反射する光の方向が連続的に変わるため、出射面１０１からの放射照度の光源からの位置依存性も緩和されると考えている。
【００５４】
また、裏面１０２に形成されたものが突条１０２ａでなく溝１０２ｂであっても、また、導光板７０の断面がくさび状、すなわち、裏面１０２が斜面とされていても、中心角２αが上述の角度に設定されていれば同様の反射効果により同様の性質が得られる。
【００５５】
（計算例２Ａ，２Ｂ）
図６の黒丸（計算例２Ａ），黒四角（計算例２Ｂ）のデータは、図１に示した構成のバックライトＢ１を用いて導光板７０の透明膜１１に到達する光の面内平均放射照度がどのようになるか、中心角２αを種々変えてコンピュータによりシミュレーション計算した結果を示すグラフである。屈折率２．６（黒丸（計算例２Ａ））、屈折率２．０（黒四角（計算例２Ｂ））で厚み０．０５ｍｍの透明膜１１を設けた以外は計算例１と同様に計算した。
【００５６】
図６の黒丸及び黒四角からわかるように、透明膜１１がある場合には、αが９０°以下の極めて広い範囲において、透明膜１１が無い半円状の突起（α＝９０°の白丸参照）を有する従来の導光板に比べて平均放射照度が高まり、特に、αが５〜９０°の範囲であると好ましく（図６では例えば１．５×１０７Ｗ／ｍ２程度以上）、αが１５〜６５°であるとより好ましく（図６では例えば２．５×１０７Ｗ／ｍ２程度以上）、αが２５〜４５°であることが一層好ましい（図６では例えば３．０×１０７Ｗ／ｍ２程度以上）ことが解った。
【００５７】
なお、第２実施形態や第３実施形態のバックライトでも透明膜１１により同様の作用効果が発現することは明らかである。これらは、透明膜１１の導光板側の面及び／又は透明膜１１の外側の面での反射効果があると考えられる。
【００５８】
続いて、計算例１、すなわち、第４実施形態におけるバックライトＢ４（図５参照）について、図６のａ点、ｂ点、ｃ点の各条件における、導光板の出射面から出射する出射光の角度分布を図７（ａ）に示す。なお、角度分布とは、図７（ｂ）のように導光板７０を覆う半球状の仮想受光面Ｆを設けた場合に各出射面から受光面Ｆの各角度で受ける光の放射強度の角度分布である。なお、角度分布がある場合でも、適切なプリズムシートの採用等により実用上の問題は少ない。
【００５９】
また、図８は、計算例１、すなわち、第４実施形態におけるバックライトＢ４について、図６のａ点、ｂ点の各条件における、出射面上の入射面からの距離と、各位置での出射光の放射照度分布と、の関係を示す図である。ａのほうが均一性は高い。
【００６０】
図９は、計算例１Ａにおけるα＝５３．１３°の場合、計算例２Ａにおけるα＝５３．１３°の場合、後述する計算例３及び比較例の場合において、出射面上の入射面からの距離と、各位置での出射光の放射照度との関係を調べた表である。
【００６１】
計算例３では、図１０に示すように、Ｌ／ｒが光源部からの距離に応じて３段階に代えられており、光源部に近い１／３の部分ではＬ／ｒ＝０．６／０．２５、中間部の１／３の部分ではＬ／ｒ＝０．４／０．３７５、光源部から遠い１／３の部分ではＬ／ｒ＝０／０．６２５とした以外は計算例２Ａの条件と同じである。なお、図１０中のｋは、ｋ＝２ｒ・ｓｉｎ（α）により定義され、上述のαを代入するとｋ＝１．６ｒとなる。
【００６２】
比較例は、計算例１Ａにおけるα＝９０°の場合である。
【００６３】
計算例１Ａ，２Ａ，３では、概ね良好な場所的分布を示している。特に、計算例３では、光源部から遠い部分の突条の配置を密にしているので、均一性が高くなった。
【００６４】
なお、本発明は、上記実施の形態に限定されることなく、種々の変形態様を構成することができる。
【００６５】
例えば、第２実施形態のような楔形の導光板において、突条１０２ａに代えて溝１０２ｂを採用してもよい。
【００６６】
また、第４実施形態のバックライトにおいて、第２実施形態のように導光板本体を楔形にしても良く、また、第３実施形態のように突条を溝に代えてもよく、楔形かつ溝を有してもよい。
また、突条や溝の円弧形状は、完全な真円弧でなくてもよく、略円弧であればよい。
【図面の簡単な説明】
【００６７】
【図１】図１は、第１実施形態に係るバックライトを説明する概略断面図である。
【図２】図２は、図１の導光板の拡大断面図である。
【図３】図３は、第２実施形態に係るバックライトを説明する概略光製図である。
【図４】図４は、第３実施形態に係るバックライトを説明する概略断面図である。
【図５】図５は、第４実施形態に係るバックライトを説明する概略断面図である。
【図６】図６は、計算例１及び計算例２において、中心角２αを変化させた場合の出射面からの平均放射照度を示すグラフである。
【図７】図７は、計算例２において、中心角２αが、それぞれａ（４．６°），ｂ（３６．９°），ｃ（９０°）だった場合の、導光板の反射面から出射する光の角度分布に関し、（ａ）は角度分布図を、（ｂ）は角度分布の定義を示す断面図である。
【図８】図８は、計算例２において、中心角２αが、それぞれａ（４．６°），ｂ（３６．９°）である場合の、入射面からの距離と、各位置においての出射面の平均放射照度との関係を示すグラフである。
【図９】図９は、計算例１Ａ，２Ａ，３、比較例における、入射面からの距離と、各位置における出射面からの放射照度を示す表である。
【図１０】図１０は、計算例３における、円弧形状の分布を示す概略図である。
【符号の説明】
【００６８】
６…光源、１０…導光板本体、１１…透明膜、７０…導光板、１０１…出射面、１０２…裏面、１０２ａ…突条、１０２ｂ…溝、１０３…入射面。
【図１】
2007305428.tif 000003
【図２】
2007305428.tif 000004
【図３】
2007305428.tif 000005
【図４】
2007305428.tif 000006
【図５】
2007305428.tif 000007
【図６】
2007305428.tif 000008
【図７】
2007305428.tif 000009
【図８】
2007305428.tif 000010
【図９】
2007305428.tif 000011
【図１０】
2007305428.tif 000012